(57)【特許請求の範囲】
【請求項１】
中心軸（Ａ）を有し、風力タービン（１）の風力タービンロータ（２６）に少なくとも間接的に接続されている、回転可能なメインシャフト（１４）と、
前記回転可能なメインシャフト（１４）を、前記風力タービン（１）の第１静止部（６）に対して少なくとも間接的に支持する、少なくとも１つのメインベアリング（１５，１６）と、を備え、
前記少なくとも１つのメインベアリング（１５，１６）を交換する際に、前記風力タービン（１）の前記第１静止部（６）に前記風力タービンロータ（２６）を固定させる、固定手段（３２，３３，３５）と、
前記少なくとも１つのメインベアリング（１５，１６）に作用することが可能であり、前記少なくとも１つのメインベアリング（１５，１６）を、前記中心軸（Ａ）の方向に前記第１静止部（６）に対して相対移動させることを可能にする、タペット手段（３０，３１，４０，４１，５０，５１）と、が設けられており、
前記タペット手段（３０，３１，４０，４１，５０，５１）は、前記回転可能なメインシャフト（１４）に設けられ、
前記少なくとも１つのメインベアリング（１５，１６）を交換する際に、前記回転可能なメインシャフト（１４）および前記少なくとも１つのメインベアリング（１５，１６）は共に、前記中心軸（Ａ）の方向に前記第１静止部（６）に対して相対移動することを特徴とする、風力タービン。
【請求項２】
前記固定手段は、ボルト孔（３２）、ボルト（３３）、および／または、少なくとも１つのシム（３５）を有する、請求項１記載の風力タービン。
【請求項３】
前記第１静止部は、静止シャフト（６）である、請求項１または２記載の風力タービン（６）。
【請求項４】
前記タペット手段は、
前記回転可能なメインシャフト（１４）に配置され、および前記少なくとも１つのメインベアリング（１５，１６）の前面側に配置された、少なくとも１つの突起部（３０，３１）、および／または、
前記少なくとも１つのメインベアリング（１５，１６）が少なくとも一部分に配置されている、前記回転可能なメインシャフト（１４）の少なくとも１つのリング形状の溝（５０，５１）、および／または、
前記少なくとも１つのメインベアリング（１５，１６）の前面側に配置され、前記回転可能なメインシャフト（１４）の外径を縮小させた、少なくとも１つのリング形状クランク（４０，４１）、
を有する、請求項１〜３いずれか１項記載の風力タービン。
【請求項５】
前記第１静止部（６）に着脱可能に取り付けられ、前記少なくとも１つのメインベアリング（１５，１６）に接続される、ベアリング支持部（６０）を備える、
請求項１〜４いずれか１項記載の風力タービン。
【請求項６】
前記ベアリング支持部は、中空円筒型の部材（６０）である、請求項５記載の風力タービン。
【請求項７】
前記回転可能なメインシャフト（１４）および／または前記ベアリング支持部（６０）は、
前記回転可能なメインシャフト（１４）と前記少なくとも１つのメインベアリング（１５，１６）とを、または、前記回転可能なメインシャフト（１４）と前記少なくとも１つのメインベアリング（１５，１６）と前記ベアリング支持部（６０）とを、前記風力タービン（１）の背面より前記静止部（６）から引き出すための、前記回転可能なメインシャフト（１４）および／または前記ベアリング支持部（６０）の背面側に配置される、固定手段（３６）を有する、
請求項１〜６いずれか１項記載の風力タービン。
【請求項８】
前記固定手段は、少なくとも１つのクランプ（３６）を有する、請求項７記載の風力タービン。
【請求項９】
風力タービン（１）のメインベアリング（１５，１６）の交換方法において、
前記風力タービン（１）は、
中心軸（Ａ）を有し、前記風力タービン（１）の風力タービンロータ（２６）に少なくとも間接的に接続されている、回転可能なメインシャフト（１４）と、
前記回転可能なメインシャフト（１４）を、前記風力タービン（１）の第１静止部（６）に対して少なくとも間接的に支持する、少なくとも１つのメインベアリング（１５，１６）と、前記回転可能なメインシャフト（１４）に、前記少なくとも１つのメインベアリング（１５，１６）に作用することが可能であり、前記少なくとも１つのメインベアリング（１５，１６）を、前記第１静止部（６）に対して前記中心軸（Ａ）の方向に相対移動させることを可能にする、タペット手段（３０，３１，４０，４１，５０，５１）とを備え、
前記第１静止部（６）は、前記風力タービンロータ（２６）を固定させるために前記風力タービンロータ（２６）に接続されており、
前記少なくとも１つのメインベアリング（１５，１６）を交換する際に、
前記風力タービンロータ（２６）と前記回転可能なメインシャフト（１４）との間の接続を解放させ、
前記少なくとも１つのメインベアリング（１５，１６）と前記第１静止部（６）との間の接続を解放させ、
前記少なくとも１つのメインベアリング（１５，１６）を、または、前記少なくとも１つのメインベアリング（１５，１６）および前記回転可能なメインシャフト（１４）を、前記少なくとも１つのメインベアリング（１５，１６）を交換するために、前記タペット手段（３０，３１，４０，４１，５０，５１）を介して、前記中心軸（Ａ）の方向に前記第１静止部（６）に対して相対移動させる、ことを特徴とする、メインベアリング（１５，１６）の交換方法。
【請求項１０】
前記少なくとも１つのメインベアリング（１５，１６）を、または、前記少なくとも１つのメインベアリング（１５，１６）および前記回転可能なメインシャフト（１４）を、前記風力タービン（１）の背面に移動させる、
請求項９記載のメインベアリング（１５，１６）の交換方法。
【請求項１１】
前記回転可能なメインシャフト（１４）の移動中に、前記少なくとも１つのメインベアリング（１５，１６）を前記回転可能なメインシャフト（１４）と協働させるために、
前記回転可能なメインシャフト（１４）は、
前記少なくとも１つのメインベアリング（１５，１６）の前面側に配置された、少なくとも１つの突起部（３０，３１）、および／または、
前記少なくとも１つのメインベアリング（１５，１６）が少なくとも一部分に配置されている、少なくとも１つのリング形状の溝（５０，５１）、および／または、
前記少なくとも１つのメインベアリング（１５，１６）の前面側に配置され、前記回転可能なメインシャフト（１４）の外径を縮小させた、少なくとも１つのリング形状クランク（４０，４１）、を有する、
請求項９または１０記載の方法。
【請求項１２】
前記風力タービンは、第１静止部（６）に着脱可能に取り付けられ、前記少なくとも１つのメインベアリング（１５，１６）に接続される、ベアリング支持部（６０）を備え、
前記少なくとも１つのメインベアリング（１５，１６）を交換するために、前記ベアリング支持部（６０）と第１静止部（６）との間の接続を解放させ、
前記ベアリング支持部（６０）と、前記少なくとも１つのメインベアリング（１５，１６）と、前記回転可能なメインシャフト（１４）とを前記風力タービン（１）の背面に移動させる、
請求項９〜１１いずれか１項記載の方法。
【請求項１３】
前記ベアリング支持部は、中空円筒型の部材（６０）である、請求項１２記載の方法。
【請求項１４】
前記回転可能なメインシャフト（１４）および／または前記ベアリング支持部（６０）は、
前記回転可能なメインシャフト（１４）と前記少なくとも１つのメインベアリング（１５，１６）とを、または、前記回転可能なメインシャフト（１４）と前記ベアリング支持部（６０）と前記少なくとも１つのメインベアリング（１５，１６）とを、前記風力タービン（１）の背面より前記静止部（６）から引き出すための、前記回転可能なメインシャフト（１４）および／または前記ベアリング支持部（６０）の背面側に配置される、固定手段（３６）を有する、
請求項９〜１３いずれか１項記載の方法。
【発明の詳細な説明】
【技術分野】
【０００１】
本発明は、メインベアリングを備える風力タービン、およびメインベアリングの交換方法に関する。
【０００２】
風力タービンは、主要構成要素として、タワーと、ナセルと、ハブおよび風力タービンロータブレードを備えた風力タービンロータと、ステータおよびロータ装置を備え通常はナセル内部に配置されるジェネレータとからなっている。ジェネレータのロータ装置は、電力を生成するために、ステータ装置に対して相対移動をするように、風力タービンに少なくとも間接的に接続されている。
【０００３】
風力タービンロータの回転をジェネレータのロータ装置に伝えるための風力タービンのドライブ構成には、様々なタイプのものがある。しかし、実際上、各構成において少なくとも１つのメインベアリングが必要である。このようなメインベアリングは、風力タービンの動作中、様々な負荷にさらされる。一定期間動作した後、メインベアリングに摩耗が生じたり、故障したりすることは稀ではない。従って、メインベアリングの交換が必要となる。通常、メインベアリングを交換する際には、風力タービンロータを取り外さなければならないが、これには技術的に多大な労力を必要とするだけではなく、多大な費用もかかる。
【０００４】
従って、本発明の目的は、風力タービンと、最初に述べたようなメインベアリングの交換を簡単にかつ低コストで行えるような方法を提供することである。
【０００５】
この目的は、中心軸を有し、少なくとも風力タービンの風力タービンロータに間接的に接続されている、回転可能なメインシャフトと、回転可能なメインシャフトを、風力タービンの第１静止部に対して少なくとも間接的に支持する、少なくとも１つのメインベアリングと、を備え、メインベアリングは、少なくとも１つのメインベアリングを交換する際に、風力タービンの第１もしくは第２静止部に風力タービンロータを固定させる、固定手段と、少なくとも１つのメインベアリングに作用することが可能であり、少なくとも１つのメインベアリングを第１静止部に対して中心軸の方向に移動させることを可能にする、タペット手段と、を有する、風力タービンによって達成される。固定手段は、少なくとも１つのメインベアリングを交換する間、風力タービンの静止部上に風力タービンロータを固定することを可能にする。この静止部は、風力タービンの第１静止部、または、風力タービンの他の適切な静止部もしくは固定部であってもよい。従って、風力タービンロータは、安定した安全な位置に取り込まれる。少なくとも１つのメインベアリングと第１静止部との間の着脱可能な接続が開放された後、少なくとも１つのメインベアリングは第１静止部に対して相対移動することが可能になり、特に他のメインベアリングに交換できるような風力タービンの一部分まで、少なくとも１つのメインベアリングを移動させることが可能になる。それによって、少なくとも１つのメインベアリングを交換している間、タペット手段は、少なくとも１つのメインベアリングに作用できる。従って、中心軸方向における少なくとも１つのメインベアリングの移動が達成される。このようにして、風力タービンロータを移動させることなく、風力タービンの少なくとも１つのメインベアリングを交換することができる。この結果、メインベアリングの交換は、技術的に簡単でかつ低コストになる。
【０００６】
本発明の実施形態によれば、固定手段は、例えば、静止部および／または風力タービンロータのボルト孔、ボルト、および／または、少なくとも１つのシムを有する。風力タービンの動作中、風力タービンロータと第１および第２静止部との間には、ギャップが必要である。少なくとも１つのメインベアリングを交換するために、風力タービンの第１および第２静止部に風力タービンロータが固定されている場合に、少なくともシムについては、通常複数のシムがギャップ内の異なる位置に配置されている。このようにして、ボルト部に実質的な撓みを生じさせることなく、風力タービンと第１および第２静止部とを共にボルト留めすることが可能になる。しかし、風力タービンロータと第１もしくは第２静止部との間のギャップが比較的小さい場合は、風力タービンロータと第１もしくは第２静止部とが共にボルト留めされている場合に実質的な撓みが生じないように、シムを省略することができる。
【０００７】
本発明の変形例においては、タペット手段は、回転可能なメインシャフトに備えられ、少なくとも１つのメインベアリングを交換する際、回転可能なメインシャフトおよび風力タービンロータ間の接続は解放され、好ましくは、回転可能なメインシャフトと少なくとも１つのメインベアリングは共に、中心軸の方向に第１静止部に対して相対移動する。それにより、回転可能なメインシャフトのタペット手段は、少なくとも１つのメインベアリングに作用する。それにより、回転可能なメインシャフトが移動した場合、タペット手段は、回転可能なメインシャフトに沿って少なくとも１つのメインベアリングと中心軸方向に協働する。
【０００８】
本発明の他の変形例においては、第１静止部は静止シャフトである。回転可能なメインシャフトおよび少なくとも１つのメインベアリングは、好ましくは静止シャフト内部に配置される。従って、少なくとも１つのメインベアリングを交換する際、回転可能なメインシャフトおよび少なくとも１つのメインベアリングは共に、中心軸方向に、静止シャフトに対してまたは静止シャフト内部で相対移動する。
【０００９】
本発明の実施形態において、タペット手段は、回転可能なメインシャフトに配置され、かつ少なくとも１つのメインベアリングの前面側に実質的に配置された、少なくとも１つの突起部、および／または、少なくとも１つのメインベアリングが少なくとも一部分に配置されている、回転可能なメインシャフトのリング形状の溝、および／または、少なくとも１つのメインベアリングの前面側に実質的に配置され、回転可能なメインシャフトの外径を縮小させた、少なくとも１つのリング形状クランク、を有する。
【００１０】
しかし、タペット手段は、少なくとも１つのメインベアリングを回転可能なメインシャフト１４に固定し、静止シャフトから回転可能なメインシャフトを引き出す時に、回転可能なメインシャフトが少なくとも１つのメインベアリングを協働させるような、単純なボルト、ねじ、もしくは他の固定手段を有していてもよい。
【００１１】
本発明のさらなる実施形態では、風力タービンは、例えば静止シャフトである第１静止部に着脱可能に取り付けられ、少なくとも１つのメインベアリングに接続される、ベアリング支持部を備える。好ましくは、中空円筒型の部材であるベアリング支持部は、静止シャフトと少なくとも１つのメインベアリングとの間の中間部材である。ここで、少なくとも１つのメインベアリングの静止部をベアリング支持部に固定し、ベアリング支持部と静止シャフトとの間の着脱可能な接続を移転させると、有利である。さらに、これは、ベアリング支持部の外側の円筒バレル表面が静止シャフトの内側の円筒バレル表面を摺動して移動中に、少なくとも１つのメインベアリングが静止シャフトの内側に沿って摺動する際の、少なくとも１つのメインベアリングと静止シャフト内部との間のポテンシャルのデッドロックを考慮すると、有利である。
【００１２】
本発明の変形例として、回転可能なメインシャフトおよび／またはベアリング支持部は、回転可能なメインシャフトと少なくとも１つのメインベアリングとを、または、回転可能なメインシャフトと少なくとも１つのメインベアリングとベアリング支持部（６０）とを引き出すための、回転可能なメインシャフトおよび／またはベアリング支持部の背面側に配置される固定手段を有し、少なくとも１つのメインベアリングおよびベアリング支持部は、風力タービンの背面側より静止部から引き出される。好ましくは、回転可能なメインシャフトの固定手段は、例えば、ローブ、チェーン、または鋼鉄ケーブルを固定するための少なくとも１つのクランプを有する。
【００１３】
本方法に関連する目的は、風力タービンのメインベアリングの交換方法によって達成される。該方法では、中心軸を有し、風力タービンの風力タービンロータに少なくとも間接的に接続されている、回転可能なメインシャフトと、回転可能なメインシャフトを、風力タービンの第１静止部に対して少なくとも間接的に支持する、少なくとも１つのメインベアリングと、を備えた風力タービンにおいて、少なくとも１つのメインベアリングを交換する際に、第１もしくは第２静止部は、風力タービンロータを固定させるために風力タービンロータに接続されており、風力タービンロータと回転可能なメインシャフトとの間の接続を解放させ、少なくとも１つのメインベアリングと第１静止部との間の接続を解放させ、少なくとも１つのメインベアリングを、または、少なくとも１つのメインベアリングおよび回転可能なメインシャフトを、少なくとも１つのメインベアリングを交換するために、中心軸の方向に第１静止部に対して相対移動させる。従って、上述したように、少なくとも１つのメインベアリングを交換するために、風力タービンロータを取り外す必要はない。
【００１４】
本発明の実施形態によれば、少なくとも１つのメインベアリングを、または、少なくとも１つのメインベアリングおよび回転可能なメインシャフトを、少なくとも１つのメインベアリングを交換するために、風力タービンの背面側に移動させる。風力タービンの背面側には、メインベアリングを交換するための空間が提供されている。
【００１５】
既に述べたように、回転可能なメインシャフトは、回転可能なメインシャフトの移動中に、少なくとも１つのメインベアリングを回転可能なメインシャフトと協働させるために、メインベアリングの前面側に実質的に配置された少なくとも１つの突起部、および／または、メインベアリングが少なくとも一部分に配置されているリング形状の溝、および／または、メインベアリングの前面側に実質的に配置され、回転可能なメインシャフトの外径を縮小させた、リング形状クランクを有する。従って、回転可能なメインシャフトが風力タービンの背面に移動する際には、少なくとも１つのメインベアリングもまた交換が可能なように風力タービンの背面に移動する。
【００１６】
本発明の方法のさらなる変形例は、本発明の風力タービンの説明において上記で既に述べた特性や有利な点を有している。
【図面の簡単な説明】
【００１７】
【図１】第１ベアリング装置を備える、本発明に関する風力タービンの一部を示す図
【図２】図１の第１ベアリング装置のセクションＩＩを拡大して示す図
【図３】第２ベアリング装置を示す図
【図４】第３ベアリング装置を示す図
【図５】ベアリング支持部を備える図１および図２のベアリング装置を変更したベアリング装置を示す図
【図６】ベアリング支持部を備える図３のベアリング装置を変更したベアリング装置を示す図
【図７】ベアリング支持部を備える図４のベアリング装置を変更したベアリング装置を示す図
【００１８】
以下では、本発明を図面に基づき、詳細に説明する。
【００１９】
図１に、風力タービン１のタワー３の風上側に設置された、直接駆動ジェネレータ２を備える、本発明の風力タービンの概略的な実施形態を示す。
【００２０】
タワーフランジ４は、タワー３の頂上部に配置されている。台板５はタワーフランジ４に取り付けられている。風力タービン１は、明示的な方法では示されていないが、台板５に直接もしくは間接的に取り付けられている、風力タービン１の他の部品と共に、風力タービン１の台板５をタワー３のＹ軸まわりに回転させるためのヨーシステムを有している。
【００２１】
風力タービン１は、第１静止部もしくは固定部として、外側静止シャフト６を備える。外側静止シャフト６の背面側は、台板５に取り付けられた保持部材７に取り付けられている。外側静止シャフト６の前面側には、直接駆動ジェネレータ２の固定部材８が配置されている。固定部材８は、固定支持構造部９および巻線１１を有する積層スタック１０を備える。固定支持構造部９は、積層スタック１０を２箇所で支持するための２つの支持部１２を備える。本発明の実施形態の場合では、支持部１２はリング形状支持部１２であり、外側静止シャフト６の外側に、例えば、ボルト留めされて取り付けられている。リング形状支持部１２は成型体とすることもでき、または、スポークもしくはスポーク構造を有することもできる。中空円筒型の支持部１３は、リング形状支持部１２の外側端面に取り付けられている。中空円筒型の支持部１３は、巻線１１を有するリング形状の積層スタック１０を支持する。積層スタック１０は、少なくとも１つの巻線１１を有しているリング状のセグメント形態である積層スタックセグメントを有することもでき、各セグメントで積層スタック１０全体を構成している。
【００２２】
中心軸Ａを有する回転可能なメインシャフト１４は、外側静止シャフト６の内側に配置され、本発明の実施形態では、２つのメインベアリング１５，１６により外側静止シャフト６に対して回転可能に支持されている。本発明の実施形態では、中心軸Ａは、回転可能なメインシャフト１４と外側静止シャフト６とで共通である。ハブ１７および図示しないロータブレードを有する風力タービンロータ２６は、回転可能なメインシャフト１４の前面側に、例えば、ボルト２７の手段により接続される。従って、回転可能なメインシャフト１４は、風力タービンロータ２６と共に回転する。図１では、公知のロータブレードに対して、３つのうち２つの取り付け装置１８のみを図示している。
【００２３】
ロータ装置１９は、ステータ装置８のまわりに実質的に配置される。本発明の実施形態では、ロータ装置１９は、前面リング形状エンドプレート２０と、背面リング形状エンドプレート２１と、前面リング形状エンドプレート２０および背面リング形状エンドプレート２１を互いに接続する中空円筒部２２とを備える。中空円筒部２２の内部には、積層スタック１０に実質的に対向して配置されている複数の永久磁石２３が備えられている。約５ｍｍの幅を有するエアーギャップ２４が、永久磁石２３と積層スタック１０との間に存在する。
【００２４】
本発明の実施形態では、リング形状エンドプレート２０は、風力タービンロータ２６と回転可能なメインシャフト１４とに接続されており、例えば、ボルト２７の手段によってボルト留めされている。リング形状のエンドプレート２１の背面側は、第３のベアリング、いわゆる支持ベアリング２５の手段により、外側静止シャフト６に接続されている。従って、ロータ装置１９もまた、２つの側面支持部材を有する。さらに、ロータ装置１９は、風力タービンロータ２６および回転可能なメインシャフト１４と共に回転可能であり、特に永久磁石２３は、電力を生成するために積層スタック１０に対して相対回転する。
【００２５】
直接駆動ジェネレータ２、静止シャフト６、保持装置７、および、回転可能なメインシャフト１４は、ナセルＨ中に配置される。
【００２６】
図１に示す実施形態では、回転可能なメインシャフト１４は、リング形状で好ましくは着脱可能な２つの突起部３０，３１の形態であるタペット手段を備えている。第１リング形状突起部３０は、第１メインベアリング１５の前面側に配置され、第２リング形状突起部３１は、第２メインベアリング１６の前面側に配置される。この配置の拡大図を図２に示す。
【００２７】
本発明の実施形態では、例えばメインベアリングが摩耗したり欠損したことによって片方もしくは両方のメインベアリング１５，１６を交換する際に、風力タービンロータ２６を静止シャフト６に固定するための固定手段が備えられていてもよい。本発明では、固定手段は、風力タービンロータ２６と静止シャフト６とを共にボルト留めするためのボルト孔３２およびボルト３３である。従って、静止シャフト６は、ボルトジョイントが可能なように風力タービンロータ２６の方向に通常よりも長くされている。静止シャフト６と風力タービンロータ２６との間に必要な、または、本発明では風力タービン２６に取り付けられている前面エンドプレート２０と静止シャフト６との間に必要なリング形状ギャップ３４は、リング形状ギャップ３４内の所定の位置に配置される複数のシム３５で満たされている。従って、ボルトジョイントがなされると、風力タービンロータ２６、前面エンドプレート２０、および静止シャフト６の撓みは実質的に生じない。ギャップ３４が非常に小さい場合は、シム３５は必要でない場合もある。
【００２８】
風力タービンロータ２６と静止シャフト６との間のボルトジョイントが完了すると、それにより風力タービンロータ２６は安定した安全な位置に固定される。この方法により、風力タービンロータ２６を、他の適切な静止部もしくは風力タービンの固定部分に固定することもできる。
【００２９】
次のステップにおいて、風力タービンロータ２６と回転可能なメインシャフト１４との間でボルト２７を有するボルトジョイント、および、メインベアリング１５，１６と静止シャフト６との間の、同様にボルトジョイントであってもよい接続も開放される。すると、回転可能なメインシャフト１４およびメインベアリング１５，１６は、中心軸Ａの方向に自由に移動できるようになる。
【００３０】
本発明の実施形態では、回転可能なメインシャフト１４は、その背面にいくつかのクランプ３６の形態である固定手段を有する。クランプ３６は、回転可能なメインシャフト１４の周辺に配置される。このクランプ３６には、ローブ、チェーン、鋼線などが留められる。このようにして、回転可能なメインシャフト１４を、静止シャフト６から引き出すことが可能になる。リング形状の突起部３０，３１は、メインベアリング１５と１６を回転可能なメインシャフト１４に沿って協働させて静止シャフト６の外部に取り出す。従って、メインベアリング１５，１６の外表面は、静止シャフト６の内表面に沿って摺動する。メインベアリング１５，１６が風力タービンの背面に移動すると、例えば、突起部３０と３１の除去後に回転可能なメインシャフト１４からメインベアリングを開放するまたは引き出すことによって、比較的簡易な方法でメインベアリング１５，１６を他のメインベアリングと交換することができる。代替として、例えば独国実用新案２０１１６６４９Ｕｌに開示されているようなセグメント化されたメインベアリングにも、本方法を適用できる。
【００３１】
反対に、新しいメインベアリングを備えた回転可能なメインシャフト１４は、静止シャフト６に押しこまれる。それによって、有利には、静止シャフト６の内側に新たなメインベアリングが提供されるように、追加の好ましくは着脱可能なリング形状の突起部３７，３８が、メインベアリングの背面側に配置される。
【００３２】
図３および図４は、ベアリング装置の他の可能な実施形態を示す。
【００３３】
図３に示すように、メインベアリング１４は、ステップ構造のような構造を有することができる。本発明の実施形態では、メインベアリング１４は、第１リング形状クランク４０と第２リング形状クランク４１とを備える。各リング形状クランクは、回転可能なメインシャフト１４の外直径を縮小させて形成される。第１メインベアリング１５は、第１リング形状クランク４０の前面側に配置され、第２メインベアリング１６は、第２リング形状クランク４１の前面側に配置される。従って、メインベアリング１５，１６は共に、回転可能なメインシャフト１４が風力タービンの背面側に向かって中心軸Ａの方向に移動する場合に、回転可能なメインシャフト１４と協働する。
【００３４】
これにより、メインベアリング１５，１６の外表面は再び静止シャフト６の内表面に沿って摺動する。メインベアリング１５，１６が風力タービンの背面側に移動すると、他のメインベアリングに交換することが可能になる。
【００３５】
上述したように、有利には、回転可能なメインシャフト１４上に配置された新規のメインベアリングを、静止シャフト６の内側の所定の位置に配置するために、新規の好ましくは着脱可能なリング形状突起部４２，４３がメインベアリングの背面側に配置される。
【００３６】
ベアリング装置において、回転可能なメインシャフト１４が２つの溝５０，５１を備える第３実施形態の断面図を図４に示す。第１の溝５０には第１メインベアリング１５が、第２の溝５１には第２のメインベアリング１６が設けられる。この場合、独国実用新案２０１１６６４９Ｕｌに開示されているように、メインベアリング１５，１６は、セグメント化されたメインベアリングであることが好ましい。
【００３７】
これによれば、メインベアリング１５，１６は共に、回転可能なメインシャフト１４が、メインベアリング１５，１６の交換が可能な風力タービンの背面側に向かって中心軸Ａの方向に移動する場合に、回転可能なメインシャフト１４と協働する。
【００３８】
図５〜図７は、図２〜図４のベアリング装置を変更したベアリング装置を示している。それぞれの場合において、独立したベアリング支持部６０が、２つのメインベアリング１５，１６と静止シャフト６との間に配置される。ベアリング支持部６０は、本実施形態の場合、中空円筒型の部材６０である。２つの各メインベアリング１５，１６において、そのロータリベアリング部が回転可能なメインシャフト１４に取り付けられ、その静止ベアリング部がベアリング支持部６０に取り付けられる。ベアリング支持部６０は、静止シャフト６に取り付けられて、例えば、ボルト留めされる。
【００３９】
メインベアリング１５，１６を交換する際、風力タービンロータ２６と回転可能なメインシャフト１４との間のボルトジョイント、および、ベアリング支持部６０と静止シャフト６との間のボルトジョイントは、開放される。その結果、回転可能なメインシャフト１４と、メインベアリング１５，１６と、ベアリング支持部６０とは、風力タービンの背面側に向かって中心軸Ａの方向に移動することができ、従ってメインベアリング１５，１６の少なくとも１つを交換するために静止シャフト６から引き出すことができる。ベアリング支持部６０はクランプ３６を有しており、このクランプ３６には、回転可能なメインシャフト１４と、メインベアリング１５，１６と、ベアリング支持部６０とを引き出すためのローブ、チェーン、および／または、鋼線などを留めることができる。これにより、ベアリング支持部６０の円筒部の外表面が、静止シャフト６の円筒部の内表面に沿って褶動する。
【００４０】
本発明の他の実施形態として、回転可能なメインシャフトの突起部はリング形状である必要はない。実際、突起部は、回転可能なメインシャフトの周辺に、円形で互いに所定の距離を取って配置されるスタッドとして実現されてもよい。
【００４１】
さらに、タペット手段は、メインベアリング１５，１６を回転可能なメインシャフト１４に固定し、静止シャフト６から回転可能なメインシャフト１４を引き出す際に、メインベアリングを回転可能なメインシャフト１４に協働させるような、単純なボルト、ねじ、もしくは他の適切な固定手段であってもよい。
【図１】
0005431469.tif 000002
【図２】
0005431469.tif 000003
【図３】
0005431469.tif 000004
【図４】
0005431469.tif 000005
【図５】
0005431469.tif 000006
【図６】
0005431469.tif 000007
【図７】
0005431469.tif 000008